(57)【要約】【目的】複数の携帯電話機に同時に応答することができる情報通信装置を提供すること。【構成】複数の無線通信装置を接続する手段、各無線通信装置と本体情報通信装置との間で、制御情報やデータのやり取りを行うＩ／Ｆ手段、本体情報通信装置で設定操作や宛先指定操作を行う操作手段、本体情報通信装置及び接続された無線通信装置の設定内容や状態を表す表示手段、本体情報通信装置と無線接続された子機及び本体情報通信装置の設定状態等を格納するメモリ手段から成る情報通信装置において、複数の無線通信装置が着信した際、各無線通信装置の着信情報をＩ／Ｆ手段を介して検出し、各無線通信装置の着信情報と本体情報通信装置の着信設定状態及び現在の使用状況に従って無線通信装置に着信応答を指示する。【選択図】      図１
2004194188.tif 000002
【特許請求の範囲】
【請求項１】
複数の無線通信装置を接続する手段、各無線通信装置と本体情報通信装置との間で、制御情報やデータのやり取りを行うＩ／Ｆ手段、本体情報通信装置で設定操作や宛先指定操作を行う操作手段、本体情報通信装置及び接続された無線通信装置の設定内容や状態を表す表示手段、本体情報通信装置と無線接続された子機及び本体情報通信装置の設定状態等を格納するメモリ手段から成る情報通信装置において、
複数の無線通信装置が着信した際、各無線通信装置の着信情報をＩ／Ｆ手段を介して検出し、各無線通信装置の着信情報と本体情報通信装置の着信設定状態及び現在の使用状況に従って無線通信装置に着信応答を指示することを特徴とする情報通信装置。
【請求項２】
複数の無線通信装置が着信した際、各無線通信装置の着信情報をＩ／Ｆ手段を介して検出し、着信先が使用不可の場合には、本体情報通信装置の着信設定状態及び現在の使用状況に従って着信先を変更することを特徴とする請求項１記載の情報通信装置。
【請求項３】
複数の無線通信装置を接続可能な情報通信装置において、
複数の無線通信装置の着信が重なった際、各無線通信装置の着信情報を検出し、各無線通信装置の着信情報と本体情報通信装置の着信設定状態及び現在の使用状況に従って無線通信装置に着信応答を指示することを特徴とする情報通信装置。
【請求項４】
前記着信情報は、着信先電話番号、発信元電話番号の少なくとも一方を含むことを特徴とする請求項３記載の情報通信装置。
【請求項５】
前記無線通信装置に指示する着信応答は、発信人別に設定されていることを特徴とする請求項３記載の情報通信装置。
【請求項６】
前記無線通信装置に指示する着信応答は、留守番電話応答、電話応答、ファクシミリ応答を含むことを特徴とする請求項３記載の情報通信装置。
【請求項７】
着信した無線通信装置を特定する情報、発信相手装置に関する情報の少なくとも一方を表示する表示手段を有することを特徴とする請求項３記載の情報通信装置。
【請求項８】
前記無線通信装置に指示する着信応答は、無線通信装置毎に異なるようにすることを特徴とする請求項３記載の情報通信装置。
【発明の詳細な説明】
【０００１】
【発明の属する技術分野】
本発明は、携帯電話機等の無線通信装置を接続する情報通信装置に関する。
【０００２】
【従来の技術】
従来、この種の情報通信装置、例えば特許第３０５４８９３号公報のように複数の携帯電話機を接続する通信装置では、携帯電話機に設定された加入者番号や各種通信条件情報等を通信装置本体に転送しておくことで、携帯電話機に着信があった場合には、その通信装置本体の通信機能を利用した携帯電話機として通信を行うことができ、着信時には着信を識別して着信加入者番号を表示したり、ブザー鳴動等により着信表示する提案がなされている。
【０００３】
【発明が解決しようとする課題】
しかしながら、上記従来例では、例えば着信に対して着信加入者番号を表示しているが、或る携帯電話を使用している際に他の携帯電話に着信が入った場合、通信装置本体が使用されているため、その通話或は通信が終了するまで着信応答ができないという操作性に問題があった。
【０００４】
本発明は上記問題に鑑みてなされたもので、その目的とする処は、複数の携帯電話機に同時に応答することができる情報通信装置を提供することにある。
【０００５】
【課題を解決するための手段】
上記目的を達成するため、本発明は、複数の無線通信装置を接続する手段、各無線通信装置と本体情報通信装置との間で、制御情報やデータのやり取りを行うＩ／Ｆ手段、本体情報通信装置で設定操作や宛先指定操作を行う操作手段、本体情報通信装置及び接続された無線通信装置の設定内容や状態を表す表示手段、本体情報通信装置と無線接続された子機及び本体情報通信装置の設定状態等を格納するメモリ手段から成る情報通信装置において、複数の無線通信装置が着信した際、各無線通信装置の着信情報をＩ／Ｆ手段を介して検出し、各無線通信装置の着信情報と本体情報通信装置の着信設定状態及び現在の使用状況に従って無線通信装置に着信応答を指示することを特徴とする。
【０００６】
又、本発明は、複数の無線通信装置を接続可能な情報通信装置において、複数の無線通信装置の着信が重なった際、各無線通信装置の着信情報を検出し、各無線通信装置の着信情報と本体情報通信装置の着信設定状態及び現在の使用状況に従って無線通信装置に着信応答を指示することを特徴とする。
【０００７】
【発明の実施の形態】
以下に本発明の実施の形態を添付図面に基づいて詳細に説明する。
【０００８】
図１は本発明の特徴を最も良く表すファクシミリ装置と本体付属のコードレス電話機の接続ブロック構成図であり、それぞれ１００が親機ファクシミリ装置、３００が子機のブロック構成図になっている。
【０００９】
１００は親機ファクシミリ装置のブロック構成図であり、親機ファクシミリ装置は主にファクシミリ制御を行うファクシミリ制御ブロックと、コードレス電話機と無線接続して音声、各種データの送受信を制御するコードレス電話Ｉ／Ｆブロック１１０から成る。制御部１０５はマイクロプロセッサ素子等から成り、ＲＯＭ１０３に格納されているプログラムに従って装置全体の制御を行う。
【００１０】
制御部１０５とコードレス電話機と無線接続して音声、各種データの送受信を制御するコードレス電話Ｉ／Ｆブロック１１０は、シリアルタイプの内部データインターフェースで接続されており、所定のタイミングで動作指示／状態監視等の情報を交換している。
【００１１】
又、ファクシミリ装置１００は外部Ｉ／Ｆ部１０８，１０９を介して携帯電話機５０１，６０１と接続し、各携帯電話機５０１，６０１の管理データや着信等の内部情報の取得を行ったり、予め操作部１０４等によりメモリ１０１に設定されている着信応答処理方法に従って、着信に対する応答指示等の制御情報を各携帯電話機５０１，６０１に配信する。
【００１２】
ファクシミリ装置１００は、この携帯電話機５０１，６０１を介してファクシミリ送信を行う。
【００１３】
携帯電話機５０１，６０１によるダイヤル、或はファクシミリ装置１００の操作部１０４で選択された宛先情報を外部Ｉ／Ｆ部１０８，１０９を介して携帯電話機５０１，６０１に通知したダイヤルで発呼、呼接続を行い、読み取り部１０７で読み取った原稿を制御部で順次符号化し、送信する。
【００１４】
外部Ｉ／Ｆ部１０８，１０９を介して携帯電話機５０１，６０１に着信を検出すると、メモリ１０１に設定されている着信応答処理方法に従い、或は携帯電話機５０１，６０１から通知された着信先情報と発信元情報からファクシミリ通信を判断した場合、外部Ｉ／Ｆ部１０８，１０９を介して携帯電話機５０１，６０１に着信応答を指示するとともにファクシミリ受信処理を開始し、受信した符号化データを順次復号化してメモリ１０１に格納するとともに、記録部１０２で印字出力する。
【００１５】
コードレス電話Ｉ／Ｆブロック１１０には、ファクシミリ装置１００とコードレス電話機３００間で無線通信を行う際に、携帯電話５０１，６０１からの信号や、ファクシミリ装置１００からの信号を無線信号に変換してアンテナから送信したり、コードレス電話機３００からの無線信号を受信し、その信号を携帯電話５０１，６０１やファクシミリ装置１００へ送信するため、信号の変換を行うＲＦ部１１１と、コードレス電話Ｉ／Ｆブロック１１０を制御する制御プログラムや内部変数／通信用のバッファ等に使用されるＲＯＭメモリ１１３、制御プログラムに従ってコードレス電話Ｉ／Ｆブロック１１０を制御し、コードレス電話機３００との通信制御を行う無線制御部１１２から成る。
【００１６】
コードレス電話機３００は、ファクシミリ装置１００から受信した無線信号を解析して音声信号や制御信号への変換を行ったり、制御部３０３からの制御信号や音声処理部３０４からの信号を無線信号に変換して、アンテナから送信する制御を行うＲＦ部３０１と、各種キー操作を行う操作部３０２、登録等の操作の際のガイダンスや、着信時ファクシミリ装置１００から通知された発信元情報及び着信先情報、各種警告、時刻等の装置の状態を表示する表示部３０６及びこれらコードレス電話機３００全般の制御を行う制御部３０３と、その制御プログラムや内部変数／通信用のバッファ等に使用されるＲＯＭ３０５、メモリ３０７から成る。
【００１７】
以下、図２のタイムシーケンス図及び図３の動作フローチャートに従って詳細を述べる。
【００１８】
図２は着信が重なった場合のタイムシーケンス図である。
【００１９】
発信元情報：□△サークル／０９０１２３４５６７８
着信先情報：父／携帯その１
本体ファクシミリ装置設定：子機優先／携帯その１／０９０１２３４５６７８
発信元情報：○×不動産／０９０１２３４５６７０
着信先情報：順二／携帯その２
本体ファクシミリ装置設定：ＦＡＸ応答／携帯その２／０９０１２３４５６７０
以上の設定下で携帯電話機１に、携帯電話機１に０９０１２３４５６７８から着信があると、携帯電話機１は本体ファクシミリ装置に着信情報を通知する。
【００２０】
ファクシミリ装置は、携帯電話機１から受けた情報から判断して子機通話可能であれば子機を呼び出し、子機からの応答を待つ。
【００２１】
オペレータが子機呼び出しに応答すると、子機は本体ファクシミリ装置に対して子機応答情報を通知し、本体ファクシミリ装置はその情報を携帯電話機１に通知して回線捕捉を指示、通話が行われる。
【００２２】
一方、この状態で携帯電話機２に０９０１２３４５６７０から着信があると、携帯電話機２は同様に本体ファクシミリ装置に着信情報を通知する。
【００２３】
ファクシミリ装置は、携帯電話機２から受けた情報からファクシミリ通信を選択すると、ファクシミリ通信が可能であれば携帯電話機２にファクシミリ応答を通知して回線捕捉を指示、ファクシミリ通信を実行する。
【００２４】
ファクシミリ装置は待機時、一般待機処理を行いながら子機着信制御を行うが、図２に示したように携帯電話１に対して着信があった場合、携帯電話１から着信先電話番号、或は着信先電話番号から変換した略称等の着信先識別情報と、発信元電話番号、或は発信元電話番号から変換した略称等の発信元識別情報を通知され、これらの情報から着信応答処理を判断する。
【００２５】
携帯電話１から通知される着信先情報は、接続する外部Ｉ／Ｆ識別番号に対して一意に決定するようにしても良いが、接続される携帯電話が限定されるため、携帯電話が内部管理している加入者情報からその加入者電話番号、或はその加入者電話番号に対する略称等の加入者識別情報をファクシミリ装置に通知する。
【００２６】
又、電話番号に対する略称等への情報変換は、ファクシミリ装置に通知後、ファクシミリ装置で行っても良い。
【００２７】
子機制御は、図３の動作フローチャートに従い処理される。
【００２８】
携帯電話機１及び２からの着信監視を行い（Ｓ１，Ｓ３）、着信を検出した場合、その携帯電話機本体と、本体ファクシミリ装置の表示部に着信番号、或は着信人情報及び発信番号、或は発信人情報を表示する（Ｓ２，Ｓ４）。
【００２９】
この状態で、今現在子機が使用中の状態になっているか否かの判断を行い（Ｓ５）、使用中であれば本体ファクシミリ装置−子機Ｉ／Ｆを介して子機通話終了応答があったか否かの確認を行う（Ｓ６）。
【００３０】
子機通話終了応答がなければ、引き続いて現在子機の呼び出し中か否かの確認を行う（Ｓ７）。
【００３１】
子機通話終了応答があれば、本体ファクシミリ装置の経路設定を行い、対応する携帯電話機に対して終話指示を行う（Ｓ１８，Ｓ２０）。
【００３２】
続いて、現在子機呼び出し中か否かの確認を行い、子機呼出し中の状態であれば、子機が応答したか否かの確認を行う（Ｓ８）。
【００３３】
現在子機呼出し中の状態であり、子機応答を検出した場合、本体ファクシミリ装置の経路設定を行い、対応する携帯電話機に対して回線捕捉指示を行う（Ｓ１０，Ｓ１２）。
【００３４】
現在子機呼出し中の状態でない、或は現在子機呼出し中の状態であるが子機が応答していない場合、引き続いて個別着信処理を行うため、携帯電話機１、或は携帯電話機２で着信があったか否かの判定を行い、何れの携帯電話機にも着信がなければ処理を先頭に戻し、以上の処理を繰り返し実行する（Ｓ９）。
【００３５】
携帯電話機１、或は携帯電話機２に着信があった場合、その発信元情報と着信先情報及び本体ファクシミリ装置の設定情報から着信処理を行う。
【００３６】
例えば、
発信元情報：○△株式会社／０３ｘｘｘｘｙｙｙｙ
着信先情報：父／携帯その１
本体ファクシミリ装置設定：電話応答（子機優先）／携帯その１／０３ｘｘｘｘｙｙｙｙ
の設定下で携帯電話１に○△株式会社（０３ｘｘｘｘｙｙｙｙ）より着信があった場合、着信先が子機優先であるため（Ｓ１１）、子機で応答可能か否かを判断し（Ｓ１４）、可能であれば本体ファクシミリ装置の経路設定を行い、子機に対して着信情報を通知して子機鳴動指示を行う（Ｓ１７）。
【００３７】
子機応答可能か否かの判断で応答不可の場合、携帯電話で応答を行うため、図１の外部Ｉ／Ｆ部１０８を介して携帯電話機１に対して電話呼び出し指示を行い、応答処理を携帯電話機に委ねる（Ｓ１６）。
【００３８】
又、例えば、
発信元情報：○□情報サービス／０９０ｘｘｚｚｙｙｕｕ
着信先情報：順二／携帯その２
本体ファクシミリ装置設定：ＦＡＸ応答／携帯その２／０９０ｘｘｚｚｙｙｕｕ
の設定下で携帯電話２に○□情報サービス（０９０ｘｘｚｚｙｙｕｕ）より着信があった場合、着信情報を解析した結果着信先がＦＡＸであるため（Ｓ１３）、ＦＡＸ応答可能か否かの判定を行う（Ｓ１５）。
【００３９】
ここで、既にファクシミリ装置が通信動作を行っている等の理由で応答不可の場合、処理を先頭に戻し、以上の処理を繰り返し実行する。
【００４０】
ファクシミリ装置が応答可能な場合は、本体ファクシミリ装置の経路設定を行い（Ｓ１９）、回線捕捉を本体ファクシミリ装置で行って通信動作を実行する（Ｓ２１）。
【００４１】
発信元情報や着信先情報及び本体ファクシミリ装置設定から、着信先が特定できない場合、子機応答可能であれば子機で応答処理を行うため、処理をＳ１４に分岐させる。
【００４２】
以上説明したように、本実施の形態によれば、複数の携帯電話機と本体ファクシミリ装置との間で制御情報やデータのやり取りを行うＩ／Ｆ手段を持ち、着信時、着信情報として着信先電話番号と発信元電話番号を該当携帯電話機から本体ファクシミリ装置に通知、本体ファクシミリ装置は装置に設定されている発信人別着信動作、例えば留守番電話応答、電話応答、ＦＡＸ応答等の情報から着信応答方法を携帯電話に指示する手段及び携帯電話機での操作情報を本体ファクシミリ装置に通知する手段を持つことにより、
▲１▼複数の携帯電話機で着信が重なり子機が使用できない場合、本体ファクシミリ装置に着信のあった携帯電話機、相手先情報等をそれぞれ表示してユーザに着信応答する着信を選択させ、他方は携帯電話機本体を鳴動、応答可能とすることで、複数の携帯電話機に同時に応答できる。
という効果がある。
【００４３】
又、
▲２▼複数の携帯電話機で着信が重なった場合、本体ファクシミリ装置に着信のあった携帯電話機、相手先情報等から着信応答方法を決定し、それぞれ異なる応答であった場合には、一方はファクシミリ受信、他方は通話応答と、それぞれ応答可能とすることで、複数の携帯電話機に同時に応答できる。
という効果がある。
【００４４】
【発明の効果】
以上説明したように、本発明によれば、複数の携帯電話と本体情報通信装置との間で制御情報やデータのやり取りを行うＩ／Ｆ手段を持ち、着信時、着信情報として着信先電話番号と発信元電話番号を該当携帯電話から本体情報通信装置に通知、本体情報通信装置は装置に設定されている発信人別着信動作、例えば留守番電話応答、電話応答、ＦＡＸ応答等の情報から着信応答方法を携帯電話に指示する手段及び携帯電話での操作情報を本体情報通信装置に通知する手段を持つことにより、
▲１▼複数の携帯電話機で着信が重なり子機が使用できない場合、本体情報通信装置に着信のあった携帯電話、相手先情報等をそれぞれ表示してユーザに着信応答する着信を選択させ、他方は携帯電話本体を鳴動、応答可能とすることで、複数の携帯電話同時に応答できる。
【００４５】
▲２▼複数の携帯電話で着信が重なった場合、本体情報通信装置に着信のあった携帯電話、相手先情報等から着信応答方法を決定し、それぞれ異なる応答であった場合には、一方はファクシミリ受信、他方は通話応答と、それぞれ応答可能とすることによって複数の携帯電話同時に応答することができる。
という効果が得られる。
【図面の簡単な説明】
【図１】図１は本発明の特徴を最も良く表すファクシミリ装置と本体付属のコードレス電話機の接続ブロック構成図。
【図２】動作タイミングチャートである。
【図３】動作フローチャートである。
【符号の説明】
１００          ファクシミリ装置
１０１          メモリ
１０２          記録部
１０３          ＲＯＭ
１０４          操作部
１０５          制御部
１０６          表示部
１０７          読み取り部
１０８，１０９  外部Ｉ／Ｆ部
１１０          コードレス電話Ｉ／Ｆブロック
１１１          ＲＦ部
１１２          無線制御部
１１３          ＲＯＭ／メモリ
２００          アンテナ
３００          コードレス子機
３０１          ＲＦ部
３０２          操作部
３０３          制御部
３０４          音声処理部
３０５          ＲＯＭ
３０６          表示部
３０７          メモリ
４００          アンテナ
５００，６００  外部Ｉ／Ｆ部
５０１，６０１  携帯電話
【図１】
2004194188.tif 000003
【図２】
2004194188.tif 000004
【図３】
2004194188.tif 000005